(57)【要約】【課題】特許調査を行うために実行プログラムを介して特許調査ウェブページに自動的にリンクする特許調査結果検討方法を提供する。【解決手段】本発明に係る特許調査結果の検討方法は、第１の側面において、特許調査インターフェースによって少なくとも１つの調査タームを入力するため予めディスプレイリストを設け、実行プログラムを用いて自動的に特許調査を行い、少なくとも１つの特許書類の少なくとも１つのコンピュータファイルをダウンロードする工程と、各コンピュータファイルの少なくとも１つの代表部のリテラルコンテンツを前記ディスプレイリストにコピーする工程と、前記ディスプレイリストを特許調査インターフェースによって表示する工程とを具備する特許調査の表示方法。【選択図】  図１
2009087313.tif 000002
【特許請求の範囲】
【請求項１】
それぞれ複数のセルを有する複数の行からなるディスプレイリストを設ける工程と、
特許調査インターフェースによって少なくとも１つの調査タームを入力し、且つ、実行プログラムを用いて自動的に特許調査を行う工程と、
前記特許調査を終了する際、前記実行プログラムを用いて少なくとも１つの特許書類の少なくとも１つのコンピュータファイルをダウンロードし、その際、前記特許書類が前記調査タームとマッチし、且つ、前記コンピュータファイルが複数の代表部を有するようにした工程と、
各コンピュータファイルの少なくとも１つの代表部のリテラルコンテンツを前記ディスプレイリストの行におけるセル中にコピーする工程と、
前記特許調査インターフェースによって前記ディスプレイリストを表示し、その際、各セルのフィールド長を可変として前記リテラルコンテンツを完全に示すことができるようにした工程とを具備することを特徴とする特許調査結果の検討方法。
【請求項２】
前記特許調査の終了後であって前記少なくとも１つのコンピュータファイルをダウンロードする前に、又は、前記少なくとも１つのコンピュータファイルをダウンロードした後であってリテラルコンテンツをコピーする前に、前記実行プログラムは、前記少なくとも１つのコンピュータファイルのリテラルコンテンツを認識し、取得した特許書類が特許調査戦略にマッチするか否かを判断し、前記特許が前記調査戦略と関連していない場合は廃棄リスト中に前記特許の特許番号をコピーすることを特徴とする請求項１記載の特許調査結果の検討方法。
【請求項３】
前記実行プログラムは、前記少なくとも１つのダウンロードされたコンピュータファイルの前記フォーマットを特定し、且つ、前記フォーマットを、前記リテラルコンテンツをコピーする前のディスプレイリストに適したフォーマットに変更することを特徴とする請求項１記載の特許調査結果の検討方法。
【請求項４】
前記実行プログラムは、前記少なくとも１つのダウンロードされたコンピュータファイルの前記フォーマットを特定し、且つ、前記フォーマットを、前記リテラルコンテンツをコピーする前のディスプレイリストに適したフォーマットに変更することを特徴とする請求項２記載の特許調査結果の検討方法。
【請求項５】
前記各コンピュータファイルの全ての代表部における前記リテラルコンテンツは前記ディスプレイリストの前記行における前記セル中にコピーされることを特徴とする請求項１記載の特許調査結果の検討方法。
【請求項６】
前記各コンピュータファイルの全ての代表部における前記リテラルコンテンツは前記ディスプレイリストの前記行における前記セル中にコピーされることを特徴とする請求項２記載の特許調査結果の検討方法。
【請求項７】
前記少なくとも１つの代表部は、特許番号、出願番号、発明の名称、出願人、発明者、弁理士、出願日、登録日、請求項及び要約書の少なくとも１つを含むことを特徴とする請求項１記載の特許調査結果の検討方法。
【請求項８】
前記少なくとも１つの代表部は、特許番号、出願番号、発明の名称、出願人、発明者、弁理士、出願日、登録日、請求項及び要約書の少なくとも１つを含むことを特徴とする請求項２記載の特許調査結果の検討方法。
【請求項９】
前記ディスプレイリストは前記特許調査インターフェースによって表示可能な電子形態を成し、前記電子形態は「マイクロソフトエクセル」のコンピュータファイルの電子形態と同一であることを特徴とする請求項１記載の特許調査結果の検討方法。
【請求項１０】
前記ディスプレイリストは前記特許調査インターフェースによって表示可能な電子形態を成し、前記電子形態は「マイクロソフトエクセル」のコンピュータファイルの電子形態と同一であることを特徴とする請求項２記載の特許調査結果の検討方法。
【請求項１１】
前記少なくとも１つの調査タームが入力された際、調査経過時間が前記特許調査インターフェースにより入力されることを特徴とする請求項１記載の特許調査結果の検討方法。
【請求項１２】
前記少なくとも１つの調査タームが入力された際、調査経過時間が前記特許調査インターフェースにより入力されることを特徴とする請求項２記載の特許調査結果の検討方法。
【発明の詳細な説明】
【技術分野】
【０００１】
本発明は、特許調査結果の検討方法、特に、少なくとも１つの取得した特許の公開情報の少なくとも一部のディスプレイリストにコピーし、取得した特許を簡単に表示する特許調査結果の検討方法に関する。
【背景技術】
【０００２】
現在、各国特許庁のウエブサイトの殆どは、少なくとも１つの特許調査ウェブページ、即ち、特許データベースを含み、そのような特許調査ウェブページは少なくとも１つの調査欄を有する。特許調査を行う際、クライアントサーバモデルを用いることによって、ユーザーは、キーワード、即ち、発明の名称、出願日、特許日や出願人名等のユーザー調査タームを、ユーザーが接続するサーバーを介して、入力することができる。従って、ユーザーは、ユーザー調査タームとマッチする特許書類の１つ又は２つ以上のコンピュータファイルを得ることができる。
一般に、ユーザーが特許調査を行った後にコンピュータファイルの情報を検討したい場合は、ユーザーは上記コンピュータファイルをダウンロードするか、サーバー上で直接コンピュータファイルを開いて、傾向分析、特許侵害評価又は製品マーケティングのため、特許書類の公開情報を取得しなければならない。しかし、一旦ユーザーが特許調査を行うための調査タームを入力すると、大量のマッチした特許書類を得ることができるが、その後、これらの書類に対応するコンピュータファイルを次から次にダウンロード、又は、開く必要がある。このようなプロセスは、調査時間及び労力コストの無駄を生じる。その結果、従来の特許調査表示方法は取得した特許書類を効率よく検討することができなくなる。
【０００３】
以下に詳細に説明するように、本発明は特許調査表示方法を提供せんとするものである。表示方法は少なくとも１つの調査タームを入力する為に、特許調査インターフェースを用い、調査タームに基づいて実行プログラムを介して特許調査ウェブページに自動的にリンクし、少なくとも１つの特許書類のコンピュータファイルをダウンロードする。コンピュータファイルのリテラルコンテンツは、ユーザーが上記した少なくとも１つの特許書類によって開示される公開情報を迅速に検討できるようにディスプレイリストにコピーされる。従って、検討効率が向上し、調査時間を減少できる。
【特許文献１】特開２００３−１７２７７７号公報
【発明の開示】
【発明が解決しようとする課題】
【０００４】
本発明の第１の目的は、特許調査を行うために実行プログラムを介して特許調査ウェブページに自動的にリンクする特許調査結果検討方法を提供することにある。少なくとも１つの調査タームにマッチする少なくとも１つの特許書類のリテラルコンテンツをディスプレイリストにコピーすることによって、ユーザーは、迅速に、その特許書類の公開情報を検討することができる。従って、この方法は特許書類の公開情報の効率的な検討を可能とする。
本発明の第２の目的は、少なくとも１つの取得した特許書類が実行プログラムを通して有益か否か判断し、無用な特許書類が存在する場合は、特許番号を廃棄リストに記録する特許調査結果の検討方法を提供する。従って、無用な特許書類のダウンローディングを防ぐことができ、本発明の方法は、特許調査作業の負荷を低減できる。
本発明の他の目的は、実行プログラムを通して自動的に特許調査ウェブページを接続し、特許調査を行うことができる特許調査結果の検討方法を提供することにある。従って、この表示方法は効果的に調査時間を節約することができる。
【課題を解決するための手段】
【０００５】
本発明に係る特許調査結果の検討方法は、第１の側面において、特許調査インターフェースによって少なくとも１つの調査タームを入力するため予めディスプレイリストを設け、実行プログラムを用いて自動的に特許調査を行い、調査タームにマッチした少なくとも１つの特許書類の少なくとも１つのコンピュータファイルをダウンロードする工程と、各コンピュータファイルの少なくとも１つの代表部のリテラルコンテンツを前記ディスプレイリストにコピーする工程と、前記ディスプレイリストを特許調査インターフェースによって表示する工程とを具備する。
【０００６】
本発明の他の側面において、本発明に係る特許調査結果の検討方法は、更に、前記特許調査の終了後であって前記少なくとも１つのコンピュータファイルをダウンロードする前に、又は、前記少なくとも１つのコンピュータファイルをダウンロードした後であってリテラルコンテンツをコピーする前に、前記実行プログラムは、前記少なくとも１つのコンピュータファイルのリテラルコンテンツを認識し、取得した特許書類が特許調査戦略にマッチするか否かを判断し、前記特許が前記調査戦略と関連していない場合は廃棄リスト中に前記特許の特許番号をコピーする工程を具備する。
【発明を実施するための最良の形態】
【０００７】
図１を参照して、本発明の好ましい実施例に係る特許調査結果の検討方法のためのコンピュータシステムを説明する。コンピュータシステム１は、特許調査インターフェース１１と、実行プログラム１２と、データベース１３とを有する。特許調査インターフェース１１はコンピュータシステム１のハードウェアであり、ユーザーによる少なくとも１つの調査タームの入力を可能とし、かつ、実行プログラム１２が調査する調査経過時間を決定するために使用される。実行プログラム１２はインターネットを介して特許調査ウェブページ２にリンクし、前記少なくとも１つの調査タームと調査時間に従って少なくとも１つの特許書類のコンピュータファイルを調査し、取得する。データベース１３は、少なくともディスプレイリスト３と廃棄リスト４を記憶するために利用される。
【０００８】
次に図２を参照して説明すると、図１に示すコンピュータシステムを介して、特許調査の表示方法が実行される。特許調査の表示方法は、ステップ「Ｓ１」によって示される少なくとも１つの調査タームを決定する工程と、ステップ「Ｓ２」によって示される実行プログラム１２を実行する工程と、ステップ「Ｓ３」によって示される調査結果の特許書類を分類するスキップ可能な工程と、ステップ「Ｓ４」によって示される特許書類の内容を検索する工程と、ステップ「Ｓ５」によって示される調査結果を表示する工程を具備する。ユーザーは、前記の工程を通して少なくとも１つの特許書類の検討を迅速に正確に完了することができる。
【０００９】
図３を参照して説明すると、本発明の好ましい実施例によれば、ディスプレイリスト３は、好ましくは、「マイクロソフトエクセル」等のコンピュータファイル等の、特許調査インターフェース１１によって表示可能な電子形態である。ディスプレイリスト３は、実質的にそれぞれ一連のセル３１１を有する複数の行３１からなり、特許書類のリテラルコンテンツをセル３１１に記憶することができる。更に、セル３１１のフィールド長「ｗ」はマウス、キーボード、タッチパネル等のドローツールを介して変更することができ、これによって、ユーザーは全ての主要な技術と関連する公開情報を完全に迅速に読むことができる。
【００１０】
図４を参照して、本発明の好ましい実施例に係る表示方法を説明する詳細フローチャートを示す。図１のステップ「Ｓ１」に関して、特許調査戦略を決定するために需要分析を行う。例えば、ユーザーは所望の特定の主題や分野を予め決定することができ、この動作はアクト「Ｓ１１」と示される。アクト「Ｓ１２」においては、更に、少なくとも１つの調査タームを、特許調査インターフェース１１に入力する。特許調査戦略において、調査タームとして、所望の特定の主題に関連した発明の名称、出願者の氏名、達成される目的と効果、詳細な説明、解決すべき課題の中の少なくとも１つのキーワードを用いることが好ましい。さらに、調査タームの設定により、実行プログラム１２は台湾特許庁 米国特許商標庁, 欧州特許庁, 日本特許庁, シンガポール特許庁等の特許調査ウェブページ２のような複数の特許調査ウェブページ２を順次調査することができる。更に、実行プログラムの処理時間、すなわち、調査時間も特許調査インターフェース１１によって指示することができる。この動作はアクト「Ｓ１３」と称され、調査時間の間、調査タームに従って、実行プログラム１２の特許調査を実行させることができる。
【００１１】
ステップ「Ｓ２」を参照して説明すると、図４のアクト「Ｓ２１」と示される次の動作の際、実行プログラム１２はインターネットを介して特許調査ウェブページ２にリンクし、自動的に少なくとも１つの調査タームに基づいて特許調査を実行し、それから、特許調査が終了したときには、少なくとも１つの特許書類のコンピュータファイルをデータベース１３にダウンロードする。従って、前記調査タームにマッチする少なくとも１つの特許書類が取得される。特許書類は、特許明細書、特許公開公報又は関連刊行文献である。
【００１２】
ステップ「Ｓ３」において、図４に示すアクト「Ｓ３１」、「S３２」、「S３３」と称される３つの動作が実行される。アクト「Ｓ３１」は実行プログラム１２がダウンロードされたコンピュータファイルのリテラルコンテンツを認識することを示す。次に、アクト「Ｓ３１」が実行されると、実行プログラム１２は、コンピュータファイルのオリジナルフォーマットを特定し、オリジナルフォーマットが使用可能なフォーマットと異なる場合、オリジナルフォーマットをディスプレイリストに適した使用可能なフォーマットに変更する。例えば、ダウンロードされたコンピュータファイルが「ｐｄｆ」フォーマットであって、ディスプレイリスト３が「マイクロソフトエクセル」で使用可能な「ｘｌｓ」フォーマットである場合は、実行プログラム１２はダウンロードされたコンピュータファイルを「ｘｌｓ」フォーマットのファイルに変更する。しかし、コンピュータファイルのオリジナルフォーマットがディスプレイリスト３に適するならば、前述の変更は省略される。アクト「Ｓ３１」を完了した後、アクト「Ｓ３２」が続き、アクト「Ｓ３２」では実行プログラム１２は、更に、取得された特許書類が特許調査戦略にマッチするか否かを判断する。例えば、特許調査戦略が「熱放散ファン」等の特定の分野の特許書類を調査するように設定されたとき、実行プログラム１２は、取得された特許書類の分野を特定して、国際特許分類のコードに基づいて使用可能か使用不可能かに区別する。従って、特許調査戦略と関連しない特許書類の特許番号を廃棄リスト４にコピーし、この動作はアクト「Ｓ３３」と称される。これにより、同じ調査タームによって特許調査が実行されるとき、同じ関連しない特許書類のダウンロードを避けることができる。
【００１３】
また、アクト「Ｓ３２」とアクト「Ｓ３３」はステップ「Ｓ３」から省略することができるが、ステップ「Ｓ２」に挿入される。詳細には、実行プログラム１２は、特許調査が実行されたときにコンピュータファイルをダウンロードする前に、アクト「Ｓ３２」と「S３３」を実行してもよい。
ステップ「Ｓ４」では、図４に「S４１」と示される動作が実行され、次のように記述される。前記特許書類のコンピュータファイルは、それぞれ順にディスプレイリスト３のそれぞれの列３１にコピーされ、その際、前記特許書類の異なる代表部のリテラルコンテンツは異なるセル３１１に記載される。例えば、特許書類が特許公開公報の場合、代表部は、特許番号、出願番号、発明の名称、出願人、発明者、弁理士、出願日、登録日、請求項、要約書等を有する。結果として、特許書類の代表部の少なくとも一部のリテラルコンテンツがディスプレイリスト３の列３１にコピーされ、それぞれの列３１は、同一の特許書類のリテラルコンテンツのみを含む。
【００１４】
ステップ「Ｓ５」において、ユーザーが検討するためのディスプレイリスト３が表示され、図４に示されるアクト「Ｓ５１」と示される。アクト「Ｓ５１」の間、ユーザーは、ドローツールを使って、セル３１１の枠縁を選択して、その枠縁を移動させることでセル３１１のフィールド長「ｗ」を変更し、セル３１１を大きくしてその中のリテラルコンテンツを完全に示すことができる。セル３１１のフィールド長「ｗ」の長さを大きくする動作の例を図５に正確に示す。セル３１１の枠縁は横に動かされている。
以上述べてきたように、特許調査を行い、その結果を検討する従来のプロセスは、無駄な調査時間と労力コストを要した。これに対して、本発明に係る調査結果の表示方法は、特許調査を迅速に行うために、実行プログラム１２によって特許調査ウェブページ２に自動的にリンクし、少なくとも１つの特許書類のコンピュータファイルをダウンロードし、コンピュータファイルのリテラルコンテンツをディスプレイリスト３にコピーする。このため、複数の特許文書のコンピュータファイルを次から次にダウンロード又は開く代わりに、ユーザーはディスプレイリスト３によって前記特許文書に開示された複数の重要な内容や主要な技術を同時に検討し、必要な情報を迅速に取得できる。
【００１５】
本発明を現時点で最も実用上好ましいと思われる実施例を参照して説明してきたが、本発明は、添付の請求項の要旨及び範囲内でなされる各種変容例も含むものと当業者によって解釈されるものである。
【図面の簡単な説明】
【００１６】
本発明は、例示的にのみ提示される以下の発明の詳細な説明、及び、図面によってより完全に理解されるものである。しかし、これらの記載及び図面は、本発明を何ら制限するものではない。
【図１】本発明の好ましい実施例に係る特許調査結果の検討方法のためのコンピュータシステムを説明するブロック図である。
【図２】本発明の好ましい実施例に係る特許調査結果の検討方法を説明するフローチャートである。
【図３】本発明の好ましい実施例に係る特許調査結果の検討方法のディスプレイリストの概略図である。
【図４】本発明の好ましい実施例に係る特許調査結果の検討方法を説明する詳細フローチャートである。
【図５】本発明の好ましい実施例に係る使用ディスプレイリストの概略図である。
【図１】
2009087313.tif 000003
【図２】
2009087313.tif 000004
【図３】
2009087313.tif 000005
【図４】
2009087313.tif 000006
【図５】
2009087313.tif 000007